(57)【要約】 【課題】  少ない部品点数及び安価な回路構成で複数の負荷電流値の設定を可能とする圧電トランス駆動回路を提供すること。【解決手段】  圧電トランス駆動回路の負荷電流を電圧に変換し、基準電圧と比較して周波数掃引発振器の周波数の掃引方向を決定する負荷電流比較回路において、負荷電流変換回路は接続点Ｃにおいて負荷低圧側端子１０９へ接続され、接続点Ｃとは異なる回路上の接続点Ｄにおいて負荷電流変換回路が基準電圧比較回路に接続されることにより、接続点Ｃの電圧とは異なる電圧が基準電圧比較回路に出力される。制御端子Ａ及びＢをそれぞれ有する２個のスイッチング素子Ｑ１０１−ＡおよびＱ１０１−Ｂを備え、４つの電流値が設定可能である。【選択図】  図１
2009038884.tif 000002
【特許請求の範囲】
【請求項１】
入力交流電圧が印加される一次電極と該一次電極と絶縁され出力交流電圧を出力する二次電極とを有する圧電トランスと、該圧電トランスの前記一次電極に必要な交流波形を出力して駆動する駆動回路と、該駆動回路に前記交流波形の周波数信号を出力する周波数掃引発振器と、該圧電トランスの二次電極に一方の端子が接続された負荷と、該負荷の他方の端子から流出された電流を入力して電圧に変換しその値を予め設定してある第１の基準電圧と比較して前記周波数掃引発振器の周波数の掃引方向を決定する信号を与える負荷電流比較回路と、該圧電トランスの二次電極からの出力を入力し分圧整流しその値を予め設定してある第２の基準電圧と比較した結果により該周波数掃引発振器の周波数の掃引方向を決定する信号を与える出力電圧比較回路を備える圧電トランス駆動回路において、
前記負荷電流比較回路は、前記負荷電流を電圧に変換する負荷電流変換回路と該負荷電流変換回路により発生する電圧を前記第１の基準電圧と比較する基準電圧比較回路とにより構成され、前記負荷電流変換回路は前記負荷電流が流れる抵抗値を切り替えて該負荷電流に対応する前記発生する電圧を切り替えることにより複数の負荷電流値の設定を可能とする回路構成を持ち、前記負荷電流変換回路は前記負荷低圧側端子へ接続され、該接続点とは異なる回路上の接続点において前記負荷電流変換回路が前記基準電圧比較回路に接続されることにより、前記負荷低圧側端子の電圧とは異なる電圧が前記基準電圧比較回路に出力されることを特徴とする圧電トランス駆動回路。
【請求項２】
前記負荷電流変換回路は、外部からの制御による負荷電流値の設定を可能にするためそれぞれ制御端子を有する２個のスイッチング素子を備え、４つの負荷電流値の設定を可能とする構成であることを特徴とする請求項１に記載の圧電トランス駆動回路。
【発明の詳細な説明】
【技術分野】
【０００１】
本発明は、負荷となる放電管を点灯させることを目的として交流電圧を発生させる圧電トランス駆動回路に関し、特に複数通りの負荷電流値の設定を可能とする回路を少ない部品点数で、かつ、安価に構成することができる圧電トランス駆動回路に関するものである。
【背景技術】
【０００２】
一般に圧電トランスは、圧電材料に一次側及び二次側電極を設置し、一次側電極に圧電トランスの共振周波数付近の入力交流電圧を印加して圧電トランスを共振させ、機械的振動により二次側電極に発生する出力交流電圧を取り出す素子である。
【０００３】
この種の圧電トランスを駆動する圧電トランス駆動回路としては、例えば特許文献１に記載された回路が知られている。図２がその従来の圧電トランス駆動回路のブロック図である。図２において、駆動回路２０１は、圧電トランス１０２の一次電極１０６に接続し、周波数掃引発振器２０５からの周波数掃引信号を圧電トランス１０２の駆動に必要な交流波形に変換して、圧電トランス１０２を駆動する。圧電トランス１０２の二次電極１０７は放電管である負荷１０３の負荷高圧側端子１０８に接続して、圧電トランス１０２により昇圧した電圧を負荷高圧側端子１０８に与える。負荷１０３の負荷低圧側端子１０９は負荷電流比較回路３１０４に接続し、負荷からの流出電流を負荷電流比較回路３１０４に流入する。負荷電流比較回路３１０４では、流入してきた負荷電流を電圧に変換し予め与えられている希望電流値に相当する基準電圧ＶｒｅｆＡ１１０と比較する。負荷電流比較回路３１０４は周波数掃引発振器２０５に接続されており上記比較結果を周波数掃引発振器２０５に与える。周波数掃引発振器２０５は負荷電流比較回路３１０４の比較結果に従って周波数掃引の方向を決定する。
【０００４】
圧電トランスは最大出力電力を示す周波数以上の周波数で効率が大きいことが判明している。従って圧電トランス１０２を効率良く駆動するためには希望の負荷電流を出力する周波数になるまで周波数を高い方から低い方に掃引し、希望負荷電流を通過した時点で駆動周波数掃引方向を反転し駆動周波数を上昇させ、再び希望負荷電流を通過した時点で周波数掃引方向を反転し駆動周波数を下降させる。この動作を繰り返すことにより負荷電流を希望値近傍に安定させる。
【０００５】
また、図２において、出力電圧比較回路３２０６が圧電トランス二次電極１０７に接続されており、出力電圧比較回路３２０６の判定結果を周波数掃引発振器２０５に与える。出力電圧比較回路３２０６は圧電トランス１０２の二次電極１０７に出力される電圧を分圧整流する機能を有しており、該分圧整流した電圧を予め設定してある基準電圧VｒｅｆＢ２１２と比較することにより、二次電極１０７に出力される電圧が予め設定した出力電圧を越えているか否かを判定する機能を有しており、その判定結果を周波数掃引発振器２０５に与える。
【０００６】
また、図２においては、時分割駆動制御回路３０６が、駆動回路２０１と周波数掃引発振器２０５に接続している。時分割駆動制御回路３０６は、外から与えられるデューティ制御電圧Ｖdutyに従って圧電トランスの駆動周波数に対して１００分の１以下の低い周波数で出力デューティが制御された信号を発生する。駆動回路２０１は時分割駆動制御回路３０６からの駆動停止信号により圧電トランス１０２の一次電極１０６に与える駆動電圧の出力を一時的に停止する機能を有しており、圧電トランスの平均出力電力が制御される。
【０００７】
ここで、負荷電流比較回路３１０４は、負荷電流を電圧に変換する負荷電流変換回路とその負荷電流変換回路により発生する電圧を基準電圧ＶｒｅｆＡ１１０と比較する基準電圧比較回路とにより構成される。図３は負荷電流変換回路を負荷低圧側端子１０９とＧＮＤ間に負荷電流検出用の抵抗Ｒｒｅｆを挿入して構成した基本的な構成を示す。Ｒｒｅｆの両端に発生する電圧値を基準電圧ＶｒｅｆＡ１１０と比較した結果に基づき周波数掃引発振器２０５と駆動回路２０１により制御され、結果として上記電圧値の平均値が基準電圧ＶｒｅｆＡ１１０に一致するように制御され、負荷電流値が設定される。以下では基準電圧ＶｒｅｆＡ１１０をＶｒｅｆとする。
【０００８】
負荷電流値は１つの値に設定する場合が多いが、用途によっては２〜４通りの設定を行う場合がある。図４は負荷電流を４通りに設定する場合の従来の負荷電流変換回路を示す回路図である。図４において、外部からの制御による負荷電流値の設定を可能にするため制御端子Ａおよび制御端子Ｂをそれぞれ有する２個のスイッチング素子Ｑ０３−Ａ及びＱ０４を備え、４つの負荷電流値の設定を可能とする構成である。負荷電流変換回路は回路上の接続点Ｆにおいて負荷低圧側端子１０９へ接続され、同じ接続点Ｆにおいて負荷電流変換回路が基準電圧比較回路に接続され、接続点Ｆの電圧と同じ電圧が基準電圧比較回路に出力される。
【０００９】
スイッチング素子Ｑ０３−Ａ及びＱ０４はそれぞれＦＥＴから構成され、制御端子Ａ及びＢにはＬ又はＨの信号が入力され、その信号入力がＬのときＦＥＴはＯＦＦとなり負荷電流が通るルートを遮断し、信号入力がＨのときＦＥＴはＯＮとなり負荷電流が通るルートを通過させる機能を持っている。
【００１０】
以下、制御端子Ａ及びＢへの信号入力による負荷電流の設定方法を説明する。
【００１１】
（１）ＡがＬ、ＢがＬの場合
スイッチング素子Ｑ０３−Ａ及びＱ０４は共にＯＦＦとなり負荷電流は遮断されるので、負荷電流が通るルートは接続点ＦとＧＮＤ間に接続された抵抗値Ｒ１１４を有する抵抗Ｒ１１４の一ヶ所みであり、負荷電流値Ｉ１は抵抗値Ｒ１１４により決定される。この場合の負荷電流値Ｉ１は下式（１）で表される。
Ｉ１＝Ｖｒｅｆ／Ｒ１１４   ・・・・・・（１）
【００１２】
（２）ＡがＬ、ＢがＨの場合
スイッチング素子Ｑ０３−ＡはＯＦＦとなり負荷電流が遮断され、スイッチング素子Ｑ０４はＯＮとなり負荷電流が通過するので、負荷電流が通るルートは抵抗Ｒ１１４及びスイッチング素子Ｑ０４に接続された抵抗値Ｒ１０４を有する抵抗Ｒ１０４の二ヶ所になり、上記（１）の場合と比較して抵抗Ｒ１０４を通過する電流値の分だけ増加する。この場合の負荷電流値Ｉ２は下式（２）で表される。
Ｉ２＝Ｖｒｅｆ×（１／Ｒ１１４＋１／Ｒ１０４）  ・・・・・（２）
【００１３】
（３） ＡがＨ、ＢがＬの場合
スイッチング素子Ｑ０３−ＡはＯＮとなり負荷電流が通過し、スイッチング素子Ｑ０４はＯＦＦとなり負荷電流が遮断されるので、負荷電流が通るルートは抵抗Ｒ１１４及びスイッチング素子Ｑ０３−Ａに接続された抵抗値Ｒ１０３を有する抵抗Ｒ１０３の二ヶ所になり、（１）の場合と比較し抵抗Ｒ１０３を通過する電流値分増加する。この場合の負荷電流値Ｉ３は下式（３）で表される。
Ｉ３  ＝  Ｖｒｅｆ×（１／Ｒ１１４＋１／Ｒ１０３）  ・・・・・（３）
【００１４】
（４）ＡがＨ、ＢがＨの場合
スイッチング素子Ｑ０３−Ａ及びＱ０４は共にＯＮとなり負荷電流は通過するので、負荷電流が通るルートは抵抗Ｒ１１４、Ｒ１０３、Ｒ１０４、および下記に述べる電流補正用の回路に挿入された抵抗値Ｒ１１３を有する抵抗Ｒ１１３の四ヶ所になり、（１）の場合と比較しＲ１０４、Ｒ１０３及びＲ１１３を通過する電流値分増加する。この場合の負荷電流値Ｉ４は下式（４）で表される。
Ｉ４＝Ｖｒｅｆ×（１／Ｒ１１４＋１／Ｒ１０３＋１／Ｒ１０４＋１／Ｒ１１３）・・・・・・・（４）
【００１５】
【特許文献１】特許第２７５１８４２号公報
【発明の開示】
【発明が解決しようとする課題】
【００１６】
上述のような従来の回路構成では、負荷低圧側端子１０９と基準電圧比較回路への接続点は接続点Ｆとして共通にしており、接続点ＦはＶｒｅｆＡ１１０の電圧に一致するようにコントロールされる定電圧部になる。制御端子Ａ及びＢの入力信号に対応した電流増減は、上述のように接続点Ｆから、負荷電流を枝分かれさせるようにして制御される。
【００１７】
ここで、通常の４つの電流値を有する圧電トランス駆動回路の規格としては、その電流値は上記のＩ１、Ｉ２、Ｉ３、およびＩ４の値は独立に規定される場合が多い。図４の回路においてスイッチング素子Ｑ０３−Ａ及びＱ０４を共にＯＮにしたとき、抵抗Ｒ１１３が接続された電流補正用の回路がない場合は、原理的にはその電流値Ｉ４はＩ４＝Ｉ１＋（Ｉ２−Ｉ１）＋（Ｉ３−Ｉ１）となる。また、Ｉ１、Ｉ２、Ｉ３の電流値はそれぞれ抵抗値Ｒ１１４、Ｒ１０４、Ｒ１０３を調整することによって独立に設定可能であるが、Ｉ４については電流補正用の回路がない場合は独立に設定できない。このため従来は図４のように、抵抗Ｒ１１３を通した電流補正回路のルートを設けている。
【００１８】
ここで、図４の回路は、ＦＥＴ３個、トランジスタ３個、ダイオード２個、抵抗１４個から構成されている。このうち、電流補正回路を構成する部品が多くを占めており、この構成部品が負荷電流変換回路を低コスト化する上での制限要因となっている。電流補正回路は、トランジスタ及びダイオードにより制御端子Ａ及びＢの入力信号によるＡＮＤ回路を構成する回路であり、Ｃ−ＭＯＳのＡＮＤ回路に置き換える事も可能である。しかし、仮にＣ−ＭＯＳのＡＮＤ回路に置き換えても負荷電流が流れるルートを確保する為にＦＥＴ３個が必要であり、構成部品点数を削減し安価な回路を実現することは難しい。
【００１９】
そこで、本発明の課題は、少ない部品点数及び安価な回路構成で複数の負荷電流値の設定を可能とする圧電トランス駆動回路を提供することである。
【課題を解決するための手段】
【００２０】
上述の課題を達成するため、本発明は、入力交流電圧が印加される一次電極と該一次電極と絶縁され出力交流電圧を出力する二次電極とを有する圧電トランスと、該圧電トランスの前記一次電極に必要な交流波形を出力して駆動する駆動回路と、該駆動回路に前記交流波形の周波数信号を出力する周波数掃引発振器と、該圧電トランスの二次電極に一方の端子が接続された負荷と、該負荷の他方の端子から流出された電流を入力して電圧に変換しその値を予め設定してある第１の基準電圧と比較して前記周波数掃引発振器の周波数の掃引方向を決定する信号を与える負荷電流比較回路と、該圧電トランスの二次電極からの出力を入力し分圧整流しその値を予め設定してある第２の基準電圧と比較した結果により該周波数掃引発振器の周波数の掃引方向を決定する信号を与える出力電圧比較回路を備える圧電トランス駆動回路において、前記負荷電流比較回路は、前記負荷電流を電圧に変換する負荷電流変換回路と該負荷電流変換回路により発生する電圧を前記第１の基準電圧と比較する基準電圧比較回路とにより構成され、前記負荷電流変換回路は前記負荷電流が流れる抵抗値を切り替えて該負荷電流に対応する前記発生する電圧を切り替えることにより複数の負荷電流値の設定を可能とする回路構成を持ち、前記負荷電流変換回路は前記負荷低圧側端子へ接続され、該接続点とは異なる回路上の接続点において前記負荷電流変換回路が前記基準電圧比較回路に接続されることにより、前記前記負荷低圧側端子の電圧とは異なる電圧が前記基準電圧比較回路に出力されることを特徴とする。
【００２１】
また、前記負荷電流変換回路は、外部からの制御による負荷電流値の設定を可能にするためそれぞれ制御端子を有する２個のスイッチング素子を備え、４つの負荷電流値の設定を可能とする構成であってもよい。
【発明の効果】
【００２２】
本発明は、上述のように負荷電流変換回路が負荷低圧側端子へ接続される接続点とは異なる回路上の接続点において基準電圧比較回路に接続して電圧を出力することにより、電流補正回路の負荷電流通電のためのスイッチング素子及びＡＮＤ回路を削除し、独立に設定可能な電流値の範囲を拡大した圧電トランス駆動回路を提供するものである。
【００２３】
上記構成により、少ない部品点数及び安価な回路構成で複数の負荷電流値の設定を可能とする圧電トランス駆動回路が得られる。
【発明を実施するための最良の形態】
【００２４】
以下、図面を参照して、本発明の実施の形態について説明する。
【００２５】
図１は本発明による圧電トランス駆動回路の一実施の形態に使用する負荷電流変換回路を示す回路図である。本実施の形態の圧電トランス駆動回路は負荷電流変換回路以外の部分は図２に示した従来の圧電トランス駆動回路と同じである。図１において、負荷電流が流れる抵抗値を切り替えて該負荷電流に対応する発生電圧を切り替えることにより４個の負荷電流値の設定を可能とする回路構成を持っている。
【００２６】
また、本負荷電流変換回路は接続点Ｃにおいて負荷低圧側端子１０９へ接続され、接続点Ｃとは異なる回路上の接続点Ｄにおいて負荷電流変換回路が基準電圧比較回路に接続されることにより、接続点Ｃの電圧とは異なる電圧が基準電圧比較回路に出力される。
【００２７】
図１において、負荷電流設定信号の入力端子である制御端子Ａ及びＢをそれぞれ有する２個のスイッチング素子Ｑ１０１−ＡおよびＱ１０１−Ｂを備え、スイッチング素子Ｑ１０１−Ａは接続点Ｃに抵抗Ｒ２０６を介して接続され、スイッチング素子Ｑ１０１−Ｂは接続点ＣとＤを接続する２つの直列の抵抗Ｒ２０２とＲ２０３の間の接続点Ｅに抵抗Ｒ２０５を介して接続されている。また、接続点ＣとＧＮＤ間には抵抗Ｒ２０１が、接続点ＤとＧＮＤ間には抵抗２０４が挿入されている。本負荷電流変換回路により、接続点Ｄの電圧の平均値が基準電圧Ｖｒｅｆとなるように動作する。また、接続点Ｄが一定の電圧となるように制御されるため、接続点Ｅの電圧も常にほぼ一定電圧となる。
【００２８】
本回路において、接続点Ｄの電圧Ｖｒｅｆは以下の式（５）で表される。ここで抵抗Ｒ２０１、Ｒ２０２、Ｒ２０３、Ｒ２０４、Ｒ２０５、Ｒ２０６の抵抗値はそれぞれＲ２０１、Ｒ２０２、Ｒ２０３、Ｒ２０４、Ｒ２０５、Ｒ２０６である。
Ｖｒｅｆ＝（Ｒｓ×Ｒ２０４／（Ｒｔ×（Ｒ２０３＋Ｒ２０４）））×（（Ｒ２０１×Ｒ２０６×Ｒｔ）／（Ｒ２０１×Ｒｔ＋Ｒ２０６×Ｒｔ＋Ｒ２０１×Ｒ２０６））×Ｉｏｕｔ  ・・・・・・（５）
但し、ここで
Ｒｓ＝（Ｒ２０５×（Ｒ２０３＋Ｒ２０４））／（Ｒ２０３＋Ｒ２０４＋Ｒ２０５）
Ｒｔ＝Ｒ２０２＋Ｒｓ
であり、Ｉｏｕｔは負荷電流値である。
【００２９】
以下、本負荷電流変換回路において制御端子Ａ及び制御端子Ｂの信号入力による負荷電流の設定方法を説明する。スイッチング素子Ｑ１０１−ＡおよびＱ１０１−Ｂの動作は従来の図４の回路のスイッチング素子Ｑ０３−Ａ及びＱ０４と同様である。
【００３０】
（１） ＡがＬ、ＢがＬの場合（Ｉ１）
負荷電流が通るルートはＲ２０１とＲ２０２−Ｒ２０３―Ｒ２０４の２ルートになる。ここで本実施の形態において、Ｒ２０３、Ｒ２０４>>Ｒ２０１、Ｒ２０２と設定されているので、負荷電流のルートはほとんどＲ２０１のみとなり、電流値はほぼＲ２０１で設定される。接続点Ｃの電圧Ｖｃは以下の式（６）で表される。
Ｖｃ＝Ｒ２０１×Ｉ１  ・・・・・（６）
【００３１】
（２）ＡがＬ、ＢがＨの場合（Ｉ２）
負荷電流が通るルートはＲ２０１、Ｒ２０２−Ｒ２０５、Ｒ２０２−Ｒ２０３―Ｒ２０４の３ルートになる。ここで、Ｒ２０３、Ｒ２０４>>Ｒ２０１、Ｒ２０２、Ｒ２０５と設定されているので、大部分の負荷電流はＲ２０１、Ｒ２０２−Ｒ２０５を通る２ルートを流れる。接続点Ｄの電圧は（１）と同じくＶｒｅｆ一定とする動作であるため、点Ｅの電圧は（１）の場合と同電位となる。Ｒ２０５に流れる電流によってＲ２０２の両端間の電圧は増加しており、その増加分だけ接続点Ｃの電圧は上昇する動作になる。そのため、負荷電流はＩ１と比較して、接続点Ｃの電圧上昇によるＲ２０１に流れる電流の増加とＲ２０５を流れる電流を加えた分上昇する。
【００３２】
（３）ＡがＨ、ＢがＬの場合（Ｉ３）
負荷電流が通るルートはＲ２０１、Ｒ２０６、Ｒ２０２−Ｒ２０３−Ｒ２０４の３ルートになる。ここで、Ｒ２０３、Ｒ２０４>>Ｒ２０１、Ｒ２０６と設定されるので、大部分の負荷電流はＲ２０１、Ｒ２０６を通る２ルートと考えて良い。この場合、接続点Ｃの電圧は（１）の場合と同じＶｃとなるように制御されＩ３は下式（７）を満たす値となる。
Ｖｃ＝Ｉ３×（１／Ｒ２０１＋１／Ｒ２０６）・・・・・・（７）
【００３３】
（４）ＡがＨ、ＢがＨの場合（Ｉ４）
負荷電流が通るルートはＲ２０１、Ｒ２０６、Ｒ２０２−Ｒ２０３−Ｒ２０４、Ｒ２０２―Ｒ２０５の４ルートになる。ここで、Ｒ２０３、Ｒ２０４>>Ｒ２０１、Ｒ２０６、Ｒ２０２＋Ｒ２０５と設定されるので、大部分の負荷電流はＲ２０１、Ｒ２０２−Ｒ２０５、Ｒ２０６を通る３ルートと考えて良い。この場合、Ｉ２の場合と同様に、接続点Ｃの電圧が上昇する為、Ｒ２０６に流れる電流は（３）と比較して接続点Ｃの電圧上昇分だけ増加する。又、Ｒ２０１及びＲ２０５に流れる電流は（２）の場合と同じである。この結果、負荷電流はＩ３と比較して増加する。
【００３４】
以下、負荷電流の規格値を設定した場合の本実施の形態の負荷電流変換回路の実施例を従来の回路の場合と比較して説明する。
【００３５】
負荷電流の規格値が以下の場合について実施した。
Ｉ１＝３．８８ｍＡ、Ｉ２＝４．４８ｍＡ、Ｉ３＝５．１７ｍＡ、Ｉ４＝５．９７ｍＡ
【００３６】
図４に示す従来の負荷電流変換回路では、ＡがＨ及びＢがＨの場合、Ｑ３−Ｂを導通させてＲ１１３を通る電流ルートを設け、上記Ｉ４の規格値に合致させた。ここで、Ｑ３−Ｂが導通しない場合、負荷電流値は以下の設定値になった。
Ｉ１＝３．８８ｍＡ、Ｉ２＝４．４８ｍＡ、Ｉ３＝５．１７ｍＡ、Ｉ４＝５．７７ｍＡ
この場合、
Ｉ４＝Ｉ１＋（Ｉ２−Ｉ１）＋（Ｉ３−Ｉ１）＝５．７７ｍＡ
は成立したが、このＩ４は上述の規格値からは０．２ｍＡ不足することとなった。そこでＩ４の規格値を満たすために図４のような電流補正回路の別ルートを設ける事が必須となった。
【００３７】
一方、図１に示す本実施の形態の負荷電流変換回路の場合、回路抵抗を検討した結果
以下の負荷電流値設定が可能となった。
Ｉ１＝３．８８ｍＡ、Ｉ２＝４．５２ｍＡ、Ｉ３＝５．１９ｍＡ、Ｉ４＝５．９７ｍＡ
この場合、
Ｉ１＋（Ｉ２−Ｉ１）＋（Ｉ３−Ｉ１）＝５．８３ｍＡ
であるので、従来の電流補正回路で得られるものと同様なＩ４の電流値不足分を補う効果を得る事が可能となった。また、図１の回路構成は図４の回路構成に比べて非常に簡単であり、必要な部品も少ないので安価に実現することができる。
【００３８】
以上のように、本発明により少ない部品点数及び安価な回路構成で複数の負荷電流値の設定を可能とする圧電トランス駆動回路が得られる。
【００３９】
なお、本発明は上述の実施の形態に限定されるものではないことは言うまでもなく、圧電トランス駆動回路の構成の変更や、負荷電流変換回路においても目的に応じてスイッチング素子や抵抗の配置などの回路構成の変更や構成部品の変更などが可能である。例えば、抵抗値などの選択により基準電圧比較回路への出力を接続点Ｅとすることも可能である。
【図面の簡単な説明】
【００４０】
【図１】本発明による圧電トランス駆動回路の一実施の形態に使用する負荷電流変換回路を示す回路図。
【図２】従来の圧電トランス駆動回路を示すブロック図。
【図３】従来の圧電トランス駆動回路を示すブロック図であり、負荷電流変換回路の基本的な構成を示す図。
【図４】負荷電流を４通りに設定する場合の従来の負荷電流変換回路を示す回路図。
【符号の説明】
【００４１】
１０２    圧電トランス  
１０３    負荷
１０６    一次電極
１０７    二次電極
１０８    負荷高圧側端子
１０９    負荷低圧側端子
２０１    駆動回路
２０５    周波数掃引発振器
３０６    時分割駆動制御回路
３１０４    負荷電流比較回路
３２０６    出力電圧比較回路
Ａ、Ｂ    制御端子
Ｃ、Ｄ、Ｆ    接続点
Ｄ０１−Ａ、Ｄ０１−Ｂ    ダイオード
Ｑ０１−Ａ、Ｑ０１−Ｂ、Ｑ０２−Ａ    トランジスタ
Ｑ０３−Ａ、Ｑ０３−Ｂ、Ｑ０４、Ｑ１０１−Ａ、Ｑ１０１−Ｂ    スイッチング素子
Ｒｒｅｆ、Ｒ２０１〜Ｒ２０６、Ｒ１０１〜Ｒ１１４    抵抗
【図１】
2009038884.tif 000003
【図２】
2009038884.tif 000004
【図３】
2009038884.tif 000005
【図４】
2009038884.tif 000006